(57)【特許請求の範囲】
【請求項１】
炊飯鍋を収容する外装体の一部を構成する底部材に、スピーカーを固定するためのスピーカー台を備える炊飯器において、
前記スピーカー台は、
前記底部材の底壁を貫通する音声放射用の孔部の周囲に、前記底壁から前記底部材の内側に突出するように設けられた筒状リブと、
前記筒状リブの対向する内周壁面間を繋ぎ、かつ前記孔部を介した前記底部材の内側と外側の連通を確保するように間隔をあけて設けられた複数の主補強リブと
を備え、
前記スピーカーは、前記筒状リブの頂部と前記主補強リブの上面のうちの少なくとも一方の上に、スピーカー振動板が下向きとなる姿勢で支持されたもので、
前記主補強リブを、前記筒状リブの前記頂部側に位置する複数の第１の主補強リブと該第１の主補強リブよりも下側に位置する複数の第２の主補強リブとを有する多段に設け、
前記第１の主補強リブと前記第２の主補強リブとを繋ぐ上下方向に延びる副補強リブをさらに備える、炊飯器。
【請求項２】
前記第１の主補強リブは、第１の仮想水平面上に間隔をあけて配置され、
前記第２の主補強リブは、第２の仮想水平面上に間隔をあけて配置された、請求項１に記載の炊飯器。
【請求項３】
前記第１の主補強リブと前記第２の主補強リブは、前記底部材の内側から見て、前記孔部を塞ぐように隙間なく配置されている、請求項１または２に記載の炊飯器。
【請求項４】
前記筒状リブの前記頂部の上に前記スピーカーが支持される、請求項１から請求項３のいずれか１項に記載の炊飯器。
【請求項５】
前記筒状リブの前記頂部は、
前記スピーカーを支持するスピーカー支持面と、
該スピーカー支持面の外側で上向きに突出し、前記スピーカーの横方向の変位を規制する位置決め部と
を備える、請求項４に記載の炊飯器。
【請求項６】
前記筒状リブは円筒状である、請求項１から請求項５のいずれか１項に記載の炊飯器。
【請求項７】
前記スピーカーの上向きの変位を規制する押さえ部材をさらに備える、請求項１から請求項６のいずれか１項に記載の炊飯器。
【請求項８】
前記押さえ部材は、下面側に前記スピーカーの背面と当接する当接部を備え、上面側に前記スピーカーへの配線用の基板を保持する基板保持部を備える、請求項７に記載の炊飯器。
【発明の詳細な説明】
【技術分野】
【０００１】
本発明は、炊飯器に関するものである。
【背景技術】
【０００２】
従来、音声ガイド等のためのスピーカーを搭載した炊飯器が知られている。また、この種の炊飯器におけるスピーカー取付構造も種々知られている（例えば特許文献１〜３参照）。
【０００３】
特許文献１に記載された炊飯器では、炊き上がり等を音声で報知するためのスピーカーが底部材の底壁に直接取り付けられている。底壁のスピーカーを取り付けた箇所には、複数の孔が設けられ、この孔を介して音声が外部に放射される。
【０００４】
特許文献２及び３の炊飯器では、外装体内に底部材とは別体のスピーカー台を設けている。底部材とは別体にしたスピーカー台は小型となるので、良好な平面度を確保できる。良好な平面度を確保することにより、振動部品であるスピーカーの固定が確実に行える。特許文献２では、音声放射用のスリットをルーバー形状としている。また、特許文献３ではスピーカーの振動板を本体の内側に向けている。これらの構造により外部からの水分や埃、油煙からスピーカーを保護している。
【０００５】
特許文献１に記載されたスピーカーの取付構造は、簡単で低コストである。しかし、この取付構造では、製造時に底部材の平面度を確保するのが困難であることと、炊飯時等の熱による底部材の経時的な変形でスピーカーと底部材との間に隙間が生じて音量低下や音質低下（いわゆる音割れ）が生じることとが問題となる。特許文献２及び３のような底部材と別体のスピーカー台を採用すれば音量や音質の低下の問題点は解消するが、部品点数の多い複雑な取付構造となり、コスト高となる。
【０００６】
【特許文献１】特開２００２−３０６３３３号公報
【特許文献２】特開２００６−９４９２４号公報
【特許文献３】特開２００６−２１８１５２号公報
【発明の開示】
【発明が解決しようとする課題】
【０００７】
本発明は、前記従来の炊飯器における課題を解決するもので、簡易な構造であるが良好な音質及び音量を確保することができ、かつ、水分、埃、油煙等から確実にスピーカーを保護することができる炊飯器を提供することを目的としている。
【課題を解決するための手段】
【０００８】
前記課題を解決するための手段として、本発明は、炊飯鍋を収容する外装体の一部を構成する底部材に、スピーカーを固定するためのスピーカー台を備える炊飯器において、前記スピーカー台は、前記底部材の底壁を貫通する音声放射用の孔部の周囲に、前記底壁から前記底部材の内側に突出するように設けられた筒状リブと、前記筒状リブの対向する内周壁面間を繋ぎ、かつ前記孔部を介した前記底部材の内側と外側の連通を確保するように間隔をあけて設けられた複数の主補強リブとを備え、前記スピーカーは、前記筒状リブの頂部と前記主補強リブの上面のうちの少なくとも一方の上に、スピーカー振動板が下向きとなる姿勢で支持されたもので、前記主補強リブを、前記筒状リブの前記頂部側に位置する複数の第１の主補強リブと該第１の主補強リブよりも下側に位置する複数の第２の主補強リブとを有する多段に設け、前記第１の主補強リブと前記第２の主補強リブとを繋ぐ上下方向に延びる副補強リブをさらに備える、炊飯器を提供する。
【０００９】
スピーカー台は、筒状リブと、筒状リブの対向する内周壁面間を繋ぐ主補強リブとを設けた簡単で部品点数の少ない低コストの構造であるが、製造時に筒状リブ及び主補強リブの上面について良好な平面度が確保でき、高強度であり、熱による経時的な変形も殆どない。そのため、スピーカーをスピーカー台に対して確実に高精度で固定でき、かつ高精度で固定された状態を維持できるので、スピーカーから放射される音声について良好な音量と音質が得られ、かつ炊飯器を長期間使用しても良好な音量と音質が維持される。
【００１０】
複数の主補強リブを多段に設けているため、スピーカー台の強度を向上させることができる。
【００１１】
また、第１の主補強リブと第２の主補強リブとを繋ぐ上下方向に延びる副補強リブをさらに備えているため、スピーカー台の強度をさらに向上させることができる。
【００１２】
前記第１の主補強リブは、第１の仮想水平面上に間隔をあけて配置され、前記第２の主補強リブは、第２の仮想水平面上に間隔をあけて配置されることが好ましい。
【００１３】
前記第１の主補強リブと前記第２の主補強リブは、前記底部材の内側から見て、前記孔部を塞ぐように隙間なく配置されていることが好ましい。この構成により、底部材の内側と外側の連通を確保しつつ、水分、埃、油煙等からスピーカーを確実に保護できる。
【００１６】
前記筒状リブの前記頂部の上に前記スピーカーが支持される場合、前記筒状リブの前記頂部は、前記スピーカーを支持するスピーカー支持面と、該スピーカー支持面の外側で上向きに突出し、前記スピーカーの横方向の変位を規制する位置決め部とを備えることが好ましい。
【００１７】
この構成により、スピーカーの横方向の変位を確実に規制できる。
【００１８】
筒状リブは円筒状であっても四角柱状等の他の筒状であってもよいが、円筒状であることが好ましい。円筒状が最も強度を向上することができるからである。
【００１９】
スピーカーの上向きの変位は押さえ部材により規制される。この押さえ部材は、下面側に前記スピーカーの背面と当接する当接部を備え、上面側に前記スピーカーへの配線用の基板を保持する基板保持部を備えることが好ましい。
【００２０】
この構成により、スピーカーへの配線用の基板を保持するための部品を別途設ける必要がないので、部品点数を減少できる。
【発明の効果】
【００２１】
本発明にかかる炊飯器が備えるスピーカー台は、底部材の底壁を貫通する音声放射用の孔部の周囲で底壁から内側に突出する筒状リブと、筒状リブの対向する内周壁面間を繋ぐ複数の主補強リブとを備えるので、構造の簡易化と部品点数減によるコスト低減を実現できるだけでなく、製造時に良好な平面度が確保でき、高強度であり、熱による経時的な変形も殆どない。その結果、スピーカーから出力される音声について良好な音質と音量が得られ、かつ炊飯器を長期間使用しても良好な音量と音質が維持される。また、多段に配置された第１の主補強リブと第２の主補強リブを底部材の内側から見て音声放射用の孔部を塞ぐように隙間なく配置することで、底部材の内側と外側の空間的連通を確保しつつ、水分、埃、油煙等からスピーカーを確実に保護できる。
【発明を実施するための最良の形態】
【００２２】
以下、本発明の実施の形態を添付図面に従って説明する。
【００２３】
図１に外観を示す本発明の実施形態にかかる炊飯器１は、炊飯鍋やヒータ（いずれも不図示）が収容された外装体２と、この外装体２に回動可能に取り付けられた蓋体３とを備える。外装体２は、胴部材４と底部材５とを備える。胴部材４は、上下両端が開口した筒状の樹脂ケースである。胴部材４は、上端開口に蓋体３が回動可能に取り付けられ、下端開口が樹脂製の底部材５により閉鎖されている。
【００２４】
図２及び図３に示すように、底部材５は、胴部材４の下端開口の形状に一致する有底箱状（平面視で概ね四角形状）である。底部材５は、底壁５ａと、底壁５ａの外周縁から上向きに立ち上がる周壁５ｂとを備える。底壁５ａの上面（内側面）の四隅には、炊飯鍋を着脱可能に収容する保護枠（不図示）を支持するための支持柱部５ｃが上向きに突出している。また、底壁５ａの下面（外側面）には、炊飯器１を支持するための４本の下向きに突出した足部５ｄが設けられている。
【００２５】
底部材５の底壁５ａには、スピーカー取付構造８が設けられている。電気信号を可聴音に変換するための機器であるスピーカー７はスピーカー振動板７ａが下向きとなる姿勢でスピーカー取付構造８に取り付けられる。スピーカー取付構造８は、スピーカー台９と、このスピーカー台９にスピーカー７を固定するための押さえ部材１０とを備える。
【００２６】
図４から図９を併せて参照すると、底部材５の底壁５ａを貫通する孔部５ｅが設けられている。この孔部５ｅを設けることで、スピーカー７の出力する音声が底部材５の内部で遮断されることなく効率的に外装体２の外部に放射される。スピーカー台９は、この孔部５ｅの部分で底部材５の底壁５ａと一体に形成されており、樹脂モールディングにより底部材５を製造する際に、スピーカー台９も同時に樹脂成形される。
【００２７】
スピーカー台９は、筒状リブ１１、主補強リブ１２ａ，１２ｂ、及び副補強リブ１３を備える。本実施形態では、筒状リブ１１の上にスピーカー７のスピーカー振動板７ａ側が支持され、押さえ部材１０によってスピーカー７の垂直方向上向きの変位が規制される。
【００２８】
筒状リブ１１は、孔部５ｅの周囲で底部材５の底壁５ａの上面から底部材５の内側へ上向きに突出している。本実施形態における筒状リブ１１は、両端開口の短円筒状であり、下端側が底壁５ａと一体に繋がっている。筒状リブ１１の頂部１１ａは、スピーカー７の下面側を支持するスピーカー支持面１１ｂと、スピーカー支持面１１ｂの外周縁で上向きに突出する環状位置決め部１１ｃとを備える。この環状位置決め部１１ｃがスピーカー７の外周部に当接し、それによってスピーカー７の水平方向ないし横方向の変位が規制される。
【００２９】
主補強リブ１２ａ，１２ｂは、二段に配置されている。具体的には、筒状リブ１１の頂部１１ａ側に位置する第１の仮想水平面Ｈ１（図９参照）上に、間隔をあけて互いに平行に３本の主補強リブ１２ａ（以下、第１の主補強リブ１２ａという場合がある。）が配置されている。また、第１の仮想水平面Ｈ１よりも下側に位置する第２の仮想水平面Ｈ２（図９参照）上にも、間隔をあけて互いに平行に２本の主補強リブ１２ｂ（以下、第２の主補強リブ１２ｂという場合がある。）が配置されている。
【００３０】
図７及び図８に最も明瞭に示されているように、スピーカー台９を底部材５の内側から真下に見た場合、及び底部材５の外側から真上に見た場合、複数の主補強リブ１２ａ，１２ｂが孔部５ｅを塞ぐように隙間なく配置されている。具体的には、真上からスピーカー台９を見ると、第１の主補強リブ１２ａ間の隙間から下方に位置する第２の主補強リブ１２ｂが見える。また、真下からスピーカー台９を見ると、第２の主補強リブ１２ｂの隙間から上方に位置する第１の主補強リブ１２ａが見える。このように、第１の主補強リブ１２ａと第２の主補強リブ１２ｂは、平面視及び底面視での位置が互い違いになるように立体的に配置され、一種のルーバー構造を構成している。
【００３１】
第１の仮想水平面Ｈ１上の第１の主補強リブ１２ａと第２の仮想水平面Ｈ２上の第２の主補強リブ１２ｂとは、４箇所で上下方向に延びる細幅の副補強リブ１３で繋がれている。具体的には、個々の副補強リブ１３は、第１の主補強リブ１２ａの下面から下向きに延びており、下端側の両側が第２の主補強リブ１２ｂと繋がっている。
【００３２】
押さえ部材１０は、樹脂モールディングにより成形された一体構造の部品であり、押さえ板１０ａ、押さえ板１０ａの両側に設けられた一対の止め部１０ｂ、押さえ板１０ａの下面に設けられた当接部１０ｃ、及び押さえ板１０ａの上面に設けられた基板保持部１０ｄを備える。
【００３３】
押さえ部材１０の個々の止め部１０ｂには、貫通孔が形成されている。これらの貫通孔に挿通させたねじ（図示せず）を、底壁５ａの筒状リブ１１と隣接する位置に形成された一対の雌ねじ部５ｆ（図３参照）にねじ込むことにより、押さえ部材１０が底部材５の底壁５ａに対して着脱可能に固定される。
【００３４】
押さえ部材１０の当接部１０ｃには弾性材料からなるパッキン１４が保持されている。押さえ部材１０の当接部１０ｃは、パッキン１４を介してスピーカー７の背面に当接する。前述のように止め部１０ｂが底部材５にねじ止めされるので、スピーカー７の上向きの変位は押さえ部材１０の押さえ板１０ａで規制され、それによってスピーカー７はスピーカー台９の上（本実施形態では、筒状リブ１１のスピーカー支持面１１ｂ）に固定された状態で保持される。
【００３５】
押さえ部材１０の基板保持部１０ｄは上端付近に係止爪１０ｅを備え、この係止爪１０ｅでスピーカー７への配線用の基板（不図示）の両面を挟み込んで保持する。
【００３６】
次に、本実施形態の炊飯器１が備えるスピーカー取付構造８の特徴と利点について説明する。
【００３７】
スピーカー取付構造８は、底部材５の底壁５ａに一体に形成されたスピーカー台９と、押さえ部材１０とにより構成されているので、部品点数が少なく構造が簡単である。特に、スピーカー台９が底部材５の底壁５ａの一部を構成し、炊飯器１の外装体２と別体ではないことにより、部品点数が少なく簡単で低コストで製造可能な構造を実現している。底部材５を樹脂成形すれば、その際にスピーカー台９も成形されるので、スピーカー台９を底部材５とは別の工程で製造する必要がない。
【００３８】
スピーカー台９のスピーカー支持面１１ｂは、製造（前述のように底部材５の樹脂モールディング時に同時に成形される。）の際に良好な平面度を確保できる。そのため、スピーカー７は押さえ部材１０によってスピーカー台９に高精度かつ強固に固定され、取付精度が良好でないことに起因してスピーカー支持面１１ｂとスピーカー７の間に隙間が生じることがない。その結果、スピーカー７から放射される音声は効率的に伝達され、かついわゆる音割れ等も防止でき、スピーカー７の出力する音声は音量と音質の両方が良好である。炊飯器１の内部の温度は、使用時（炊飯時及び保温時）には上昇する一方、非使用時時には室温まで低下し、この温度昇降の繰り返しは、底部材５の変形の原因となり得る。仮に、底部材５の底壁５ａに直接スピーカーを取り付けた場合、底部材５の熱変形によって平面度が低下した底壁５ａとスピーカー７との間に隙間が生じ、その結果スピーカー７の音量や音質が低下するおそれがある。しかし、本実施形態におけるスピーカー台９は高強度で、熱による経時変形も殆どない。そのため、炊飯器１を長期間使用してもスピーカー支持面１１ｂの平面度は良好に維持され、スピーカー７はスピーカー台９に対して高精度で固定された状態で維持される。その結果、炊飯器１を長期間使用しても、スピーカー７からの音声は音量と音質の両方が良好に維持される。
【００３９】
製造時に良好な平面度のスピーカー支持面１１ｂが得られ、かつスピーカー台９が高強度で経時的な熱変形も殆どない理由としては、まず、底部材５の底壁５ａと一体構造の短円柱状の筒状リブ１１を設け、この筒状リブ１１の対向する内周壁面を繋ぐ複数の主補強リブ１２ａ，１２ｂを設けることで、スピーカー台９の構造体としての剛性を高めている点が挙げられる。また、主補強リブ１２ａ，１２ｂを二段に配置していることと、主補強リブ１２ａ，１２ｂを繋ぐ副補強リブ１３を設けたことも、スピーカー台９の剛性向上に寄与している。
【００４０】
前述のように、二段に配置された第１及び第２の主補強リブ１２ａ，１２ｂが一種のルーバー構造を構成しているので、スピーカー７が出力する音声を効率的に炊飯器１の外部に放射するために必要である孔部５ｅを介した底部材５の外側と内側との空間的連通を確保しつつ、水分、埃、油煙等からスピーカー７を確実に保護できる。
【００４１】
前述のように押さえ部材１０はスピーカー７への配線用の基板を保持する機能も有するので、この基板を保持するための部品を別途設ける必要がなく、部品点数を減少できる。
【００４２】
図２に最も明瞭に表されているように、スピーカー台９は底部材５が備える４本の足部５ｄから外れた位置（平面視で足部５ｄと重ならない位置）に設けられている。そのため、足部５ｄを介して作用する衝撃等によって押さえ部材１０の底部材５への固定強度が低下するのを防止できる。
【００４３】
本発明は実施形態に限定されるものではなく、以下に列挙するように種々の変形が可能である。
【００４４】
本実施形態では筒状リブは円筒状であるが、スピーカー７を固定できるものであれば角筒状であってもよい。ただし、筒状リブの強度の観点からは、円筒状が最も好ましい。
【００４５】
また、第１及び第２の主補強リブ１２ａ，１２ｂや副補強リブ１３の本数は実施形態のものに限定されない。主補強リブは二段配置に限定されず、三段以上に配置してもよい。
【００４６】
さらに、本実施形態では環状位置決め部１１ｃでスピーカー７の横方向の変位を規制しているが、スピーカー台９上でのスピーカー７の横方向の変位を規制できる限り、環状以外の形状の位置決め部を採用できる。例えば、環状位置決め部１１ｃに代えて、３個以上の突起をスピーカー支持面１１ｂの外周縁に設けてスピーカー７の横方向の変位を規制してもよい。
【００４７】
さらにまた、スピーカー台９は、図１０に示すように筒状リブ１１の頂部１１ａにスピーカー支持面１１ｂのみを設け、環状位置決め部１１ｃを省略することも可能である。
【００４８】
図１１に示すように第１の主補強リブ１２ａの上面にのみによってスピーカー７の下面側が支持されるものでもよい。スピーカー台９は、筒状リブ１１の頂部１１ａと主補強リブ１２ａの上面のうちの少なくとも一方の上に、スピーカー振動板７ａが下向きとなる姿勢でスピーカー７を支持できる構造であればよい。
【００４９】
押さえ部材１０の底部材５への固定は、ねじ止めに限定されない。
【図面の簡単な説明】
【００５０】
【図１】本発明の実施形態にかかる炊飯器を示す斜視図。
【図２】底部材を示す斜視図。
【図３】底部材を示す一部分解斜視図。
【図４】図２のIV-IV線での斜視図。
【図５】スピーカー台の斜視図。
【図６】スピーカー台の一部破断斜視図。
【図７】スピーカー台の平面図。
【図８】スピーカー台の底面図。
【図９】図７のIX−IX線での断面図。
【図１０】スピーカー台の代案を示す断面図。
【図１１】スピーカー台の他の代案を示す断面図。
【符号の説明】
【００５１】
１  炊飯器
２  外装体
３  蓋体
４  胴部材
５  底部材
５ａ  底壁
５ｂ  周壁
５ｃ  支持柱部
５ｄ  足部
５ｅ  孔部
５ｆ  雌ねじ部
７  スピーカー
７ａ  スピーカー振動板
８  スピーカー取付構造
９  スピーカー台
１０  押さえ部材
１０ａ  押さえ板
１０ｂ  止め部
１０ｃ  当接部
１０ｄ  基板保持部
１０ｅ  係止爪
１１  筒状リブ
１１ａ  頂部
１１ｂ  スピーカー支持面
１１ｃ  位置決め部
１２ａ，１２ｂ  主補強リブ
１３  副補強リブ
１４  パッキン
Ｈ１，Ｈ２  仮想水平面
【図１】
0004933408.tif 000002
【図２】
0004933408.tif 000003
【図３】
0004933408.tif 000004
【図４】
0004933408.tif 000005
【図５】
0004933408.tif 000006
【図６】
0004933408.tif 000007
【図７】
0004933408.tif 000008
【図８】
0004933408.tif 000009
【図９】
0004933408.tif 000010
【図１０】
0004933408.tif 000011
【図１１】
0004933408.tif 000012